(57)【要約】【課題】従来のロッカーの機構に大幅な変更を加えずに符号錠装置を組み込むことが可能なロッカーと、そのロッカーに使用される符号錠装置とを提供する。【解決手段】扉２Ａの解放端側の内側にハンドル操作による外力と復帰バネによるバネ力とを受けて正逆各方向へ回動する伝達軸３と、伝達軸３の正逆回動に連動してロッカー本体１のラッチ受け部１１，１２と係脱動作するラッチ３１，３２とが配設されている。扉２Ａの内面の伝達軸３が露出している部分に符号錠装置４が組み込まれている。符号錠装置４は、解錠符号列の整列時は回動が許容され解錠符号列の不整列時は回動が規制される筒軸部を有し、筒軸部の一端に回動操作用の摘みが、他端に駆動板６が、それぞれ取り付けられる。駆動板６の先端部分には、筒軸部の正逆回動に伴って駆動板６が往復動作したとき伝達軸３と係脱する係合溝６１が形成されている。【選択図】図２
2011074679.tif 000002
【特許請求の範囲】
【請求項１】
開閉可能な扉の内側に、ハンドル操作による外力と復帰バネによるバネ力とを受けて正逆各方向へ回動する伝達軸と、伝達軸の正逆回動に連動してロッカー本体のラッチ受け部と係脱動作するラッチとが配設されて成るロッカーにおいて、
扉の内面の前記伝達軸が露出している部分に複数個のダイヤルを扉の外面に臨ませた状態で符号錠装置が組み込まれて成り、前記符号錠装置は、解錠符号列が整列したとき所定の角度範囲の回動が許容され解錠符号列が整列していないとき前記回動が規制される筒軸部と、筒軸部の扉外への突出端部に取り付けられた回動操作用の摘みと、筒軸部の扉内への突出端部に取り付けられた駆動板とを有しており、前記駆動板の先端部分には、筒軸部の正逆回動に伴って駆動板が往復動作したとき前記伝達軸と係脱して伝達軸の回動を規制しまたは規制を解除するための係合溝が形成されて成るロッカー。
【請求項２】
開閉可能な扉の内側に、ハンドル操作による外力と復帰バネによるバネ力とを受けて正逆各方向へ回動する伝達軸と、伝達軸の正逆回動に連動してロッカー本体のラッチ受け部と係脱動作するラッチとが配設されて成るロッカーに組み込まれる符号錠装置であって、解錠符号列が整列したとき所定の角度範囲の回動が許容され解錠符号列が整列していないとき前記回動が規制される筒軸部と、筒軸部の一端部に取り付けられた回動操作用の摘みと、筒軸部の他端部に取り付けられた駆動板とを有し、前記駆動板の先端部分には、筒軸部の正逆回動に伴って駆動板が往復動作したとき前記伝達軸と係脱可能な係合溝が形成されて成るロッカー用の符号錠装置。
【発明の詳細な説明】
【技術分野】
【０００１】
この発明は、種々の物品の収納や保管に用いられる錠装置付きのロッカーに関し、特にこの発明は、例えば、扉が前後方向へ開閉することが可能なように扉の一側端縁がロッカー本体の前面の開口縁に支持されて成るロッカーと、複数個のダイヤルにより解錠のための符号列（以下「解錠符号列」という。）を揃えたり崩したりすることにより解錠や施錠が行われるロッカー用の符号錠装置とに関する。
【背景技術】
【０００２】
例えば、典型的なスチール製のロッカーは、図１０，１１に示すように、２枚の扉２Ａ，２Ｂが前後方向へ開閉することが可能なように各扉２Ａ，２Ｂの一側端縁がそれぞれロッカー本体１の前面の左右の開口縁に支持されている。右左の扉２Ａ，２Ｂのうち、図中、左側の扉（以下「左扉」という。）２Ｂの解放端縁には突縁部（図示せず）が形成されており、右左の扉２Ａ，２Ｂを閉じたとき、右側の扉（以下「右扉」という。）２Ａの解放端縁が前記突縁部上に重なり、右左の扉２Ａ，２Ｂが閉じた状態に保持されるようになっている。
【０００３】
この種のロッカーとして、右扉２Ａの解放端側の内側に、ハンドル２１の操作による外力と復帰バネ（図示せず）によるバネ力とを受けて一定の角度範囲で正逆各方向へ回動する伝達軸３と、伝達軸３の正逆回動に連動してロッカー本体１の上下のラッチ受け部１１，１２と係脱動作する上下のラッチ３１，３２とを配設したものがある（例えば特許文献１参照）。なお、図中、２０はハンドル２１による外力を伝達軸３に伝達して回動させる動力伝達機構や後述する錠装置が組み込まれた機械ボックスである。
【先行技術文献】
【特許文献】
【０００４】
【特許文献１】特開２００９−１１４７０８号公報
【０００５】
右左の扉２Ａ，２Ｂが閉じられた状態において、ハンドル２１に手をかけて操作すると、伝達軸３が一方向へ一定角度だけ回動して上下の各ラッチ３１，３２がそれと一体に回動する。これにより各ラッチ３１，３２とロッカー本体１の各ラッチ受け部１１，１２との係合が外れて右扉２Ａの開放が可能となり、さらに、左扉２Ｂの開放も可能となる。右扉２Ａを開いた後、ハンドル２１から手を離すと、伝達軸３が図示しない復帰バネによるバネ力を受けて前記と反対方向へ回動し、ラッチ３１，３２がそれと一体に回動して元の状態に復帰する。この復帰した状態で右扉２Ａを閉めると、各ラッチ３１，３２はラッチ受け部１１，１２に突き当たって回動した後、復帰バネによるバネ力を受けて復帰動作するので、ラッチ受け部１１，１２と係合して拘束され、右左の扉２Ａ，２Ｂが閉じた状態に保持される。
【０００６】
この種のロッカーには、右左の扉２Ａ，２Ｂが閉じられた状態のとき、右扉２Ａの開動作を規制するための錠装置が組み込まれている。右扉２Ａの前面には鍵孔９が設けてあり、この鍵孔９へ鍵を挿入して一方向へ回すと、錠装置が作動して施錠状態となり、反対方向へ鍵を回すと、錠装置が作動して解錠状態となる。施錠状態ではハンドル２１の操作が規制され、伝達軸３を回動させることができない。
【発明の概要】
【発明が解決しようとする課題】
【０００７】
上記した構成のロッカーでは、鍵を所持する者だけがロッカーの使用が可能であり、複数人がロッカーを使用する場合には、人数分だけ鍵を複製する必要がある。しかし、複製した鍵の本数が増すと、鍵を紛失する可能性も増し、信頼性が低下する。
そこで、鍵を必要とする錠装置に代えて、鍵を必要としない符号錠装置を用いることが考えられるが、右扉２Ａの内側の機械ボックス２０内の機構を符号錠装置に合わせて大幅に設計変更する必要があり、それに加えて、鍵を必要とする錠装置が組み込まれたタイプのロッカーと、鍵を必要としない符号錠装置が組み込まれたタイプのロッカーとの２種類の製品を製作し、製品毎に管理する必要がある。
【０００８】
この発明は、上記の問題に着目してなされたもので、従来のロッカーの機構に大幅な変更を加えずに符号錠装置を組み込むことが可能なロッカーと、そのロッカーに使用される符号錠装置とを提供することを目的とする。
また、この発明が他に目的とするところは、鍵を必要とする錠装置が組み込まれた既成のロッカーに簡単に付加できる符号錠装置を提供することにある。
【課題を解決するための手段】
【０００９】
この発明によるロッカーは、開閉可能な扉の内側に、ハンドル操作による外力と復帰バネによるバネ力とを受けて正逆各方向へ回動する伝達軸と、伝達軸の正逆回動に連動してロッカー本体のラッチ受け部と係脱動作するラッチとが配設されている。扉の内面の前記伝達軸が露出している部分には複数個のダイヤルを扉の外面に臨ませた状態で符号錠装置が組み込まれている。前記符号錠装置は、解錠符号列が整列したとき所定の角度範囲の回動が許容され解錠符号列が整列していないとき前記回動が規制される筒軸部と、筒軸部の扉外への突出端部に取り付けられた回動操作用の摘みと、筒軸部の扉内への突出端部に取り付けられた駆動板とを有している。前記駆動板の先端部分には、筒軸部の正逆回動に伴って駆動板が往復動作したとき前記伝達軸と係脱して伝達軸の回動を規制しまたは規制を解除するための係合溝が形成されている。
【００１０】
この発明が適用される典型的なロッカーは、前後方向へ開閉することが可能なように一側端縁がロッカー本体の前面の開口縁に支持された扉を有し、その扉の解放端側の内側に伝達軸とラッチとが配設されたものである。扉は１枚のものであってもよく、左右２枚のものであってもよい。また、この発明のロッカーは、ロッカー本体および扉がスチール製のものであってもよく、木製のものであってもよい。さらに、この発明は、扉が引出タイプのロッカーにも適用できる。
【００１１】
上記した構成のロッカーにおいて、扉が閉じた状態にあるとき、ハンドルを操作すると、符号錠装置が解錠状態にありかつ回動操作用の摘みが解錠位置にあれば、伝達軸は一方向へ回動してラッチがそれと一体に回動する。これによりラッチは、ロッカー本体のラッチ受け部との係合が外れて拘束が解除され、扉を開くことができる。扉を開いた後、ハンドルから手を離すと、伝達軸が復帰バネによるバネ力を受けて前記と反対方向へ回動し、ラッチがそれと一体に回動して元の状態に復帰する。この状態で扉を閉めると、ラッチはラッチ受け部に突き当たって回動した後に復帰バネによるバネ力を受けて復帰動作するので、ラッチ受け部と係合して拘束され、扉が閉じた状態に保持される。
【００１２】
扉が閉じた状態のとき、符号錠装置の解錠符号列が揃った状態にあれば、回動操作用の摘みを回すことが可能である。摘みを回して施錠位置にセットすると、駆動板の先端部分の係合溝と伝達軸とが係合した状態となり、伝達軸の回動が規制される。この状態でハンドルを操作しても、伝達軸の回動が規制されているので、ラッチは回動せず、ロッカー本体のラッチ受け部と係合して拘束されたままであり、扉が閉じた状態に保持される。次にダイヤル操作により解錠符号列を崩すと、符号錠装置は施錠状態となり、摘みを回して解錠位置にセットすることができない。
【００１３】
扉を開く場合は、ダイヤル操作により解錠符号列を揃えることで符号錠装置は解錠状態となり、摘みを回して解錠位置にセットすることができる。摘みを解錠位置にセットすると、駆動板の先端部分の係合溝と伝達軸との係合が外れた状態となり、伝達軸の回動規制が解除される。この状態でハンドル操作すると、伝達軸が回動してラッチがそれと一体に回動し、これによりラッチとロッカー本体のラッチ受け部との係合が外れるので、扉を開くことができる。
【００１４】
この発明が適用される符号錠装置は、開閉可能な扉の内側に、ハンドル操作による外力と復帰バネによるバネ力とを受けて正逆各方向へ回動する伝達軸と、伝達軸の正逆回動に連動してロッカー本体のラッチ受け部と係脱動作するラッチとが配設されて成るロッカー、例えば、扉が前後方向へ開閉することが可能なように扉の一側端縁がロッカー本体の前面の開口縁に支持されたロッカーに組み込まれるものである。
この発明による符号錠装置は、解錠符号列が整列したとき所定の角度範囲の回動が許容され解錠符号列が整列していないとき前記回動が規制される筒軸部と、筒軸部の一端部に取り付けられた回動操作用の摘みと、筒軸部の他端部に取り付けられた駆動板とを有し、前記駆動板の先端部分には、筒軸部の正逆回動に伴って駆動板が往復動作したとき前記伝達軸と係脱可能な係合溝が形成されている。
【００１５】
上記した構成の符号錠装置を、駆動板の往復動作により駆動板の係合溝と伝達軸とが係脱する位置に、複数個のダイヤルを扉の外面に臨ませた状態にして扉に組み付ける。
【００１６】
この符号錠装置では、解錠符号列が揃った状態のとき、回動操作用の摘みを正逆いずれの方向にも回すことが可能である。摘みを施錠位置にセットすると、駆動板の先端部分の係合溝と伝達軸とが係合した状態となり、伝達軸の回動が規制される。この状態でハンドルを操作しても、伝達軸の回動が規制されているので、ラッチは回動せず、ロッカー本体のラッチ受け部と係合して拘束されたままであり、扉が閉じた状態に保持される。この状態でダイヤル操作により解錠符号列を崩すと、符号錠装置は施錠状態となり、摘みを回して解錠位置にセットすることができない。
【００１７】
ダイヤル操作により解錠符号列を揃えると、符号錠装置は解錠状態となり、摘みを回して解錠位置にセットすることができる。摘みを解錠位置にセットすると、駆動板の先端部分の係合溝と伝達軸との係合が外れた状態となり、伝達軸の回動規制が解除される。この状態でハンドル操作すると、伝達軸が回動してラッチがそれと一体に回動し、これによりラッチはロッカー本体のラッチ受け部との係合が外れて拘束が解除され、扉を開くことができる。
【発明の効果】
【００１８】
この発明によると、従来のロッカーの機構に大幅な変更を加えずに符号錠装置を組み込むことができ、また、既成のロッカーに符号錠装置を簡単に付加することもできる。
【図面の簡単な説明】
【００１９】
【図１】この発明の一実施例であるロッカーの外観を示す斜視図である。
【図２】図１の実施例の一方の扉を開いた状態を示す斜視図である。
【図３】ラッチがラッチ受け部と係合した状態を示す断面図である。
【図４】ラッチが開口より抜け出た状態を示す断面図である。
【図５】ラッチとラッチ受け部との係脱動作を示す断面図である。
【図６】扉に組み込まれた符号錠装置を拡大して示す背面図である。
【図７】図６の符号錠装置の正面図である。
【図８】図６の符号錠装置の側面図である。
【図９】駆動板の係合溝と伝達軸とが係合した状態を示す断面図である。
【図１０】従来のロッカーの外観を示す斜視図である。
【図１１】従来のロッカーの一方の扉を開いた状態を示す斜視図である。
【発明を実施するための形態】
【００２０】
図１はこの発明の一実施例であるスチール製のロッカーの外観を示している。
図示例のロッカーは、前面が開口したボックス形状のロッカー本体１と、ロッカー本体１の前面の開口部を塞ぐ開閉可能な右左の扉２Ａ，２Ｂとで構成されている。各扉２Ａ，２Ｂは、前後方向へ開閉することが可能なように、一側端縁がロッカー本体１の前面の両側の開口縁に枢支具２２Ａ，２３Ａ、２２Ｂ，２３Ｂによりそれぞれ支持されている。
【００２１】
右左の扉２Ａ，２Ｂのうち、左扉２Ｂの解放端縁には一定幅の突縁部２４が高さ全体にわたって形成されている。左扉２Ｂを閉じた後、右扉２Ａを閉じたとき、右扉２Ａの解放端縁が左扉２Ｂの突縁部２４上に重なるので、右左の扉２Ａ，２Ｂが閉じた状態に保持される。右扉２Ａの前面の解放端側には、高さ中央部に開閉操作のためのハンドル２１が、その上に後述する符号錠装置４が、それぞれ配置されている。
【００２２】
右扉２Ａの解放端側の内側には、図２に示すように、高さ中央部の機械ボックス２０を上下に貫通するように伝達軸３が配設されている。なお、伝達軸３はほぼ全長が露出している。伝達軸３は、一定の角度範囲で正逆各方向へ回動するように、上下端部が右扉２Ａの解放端縁の上下各位置に取り付けられた軸受３３，３４により回動自由に支持されている。この実施例の伝達軸３は、軸方向と直交する断面が正方形状の角軸により構成されているが、符号錠装置４の後述する駆動板６の係合溝６１が伝達軸３に係合したときに伝達軸３の回動が規制されるものであれば、断面形状が正方形状のものに限らず、六角形などの多角形状や楕円形状のものであってもよい。
【００２３】
機械ボックス２０の内部には、図示していないが、ハンドル２１の操作による外力を伝達軸３に伝達して伝達軸３を一方向へ回動させる動力伝達機構と、伝達軸３にバネ力を作用させてハンドル２１による外力が解除されたときに伝達軸３を反対方向へ回動させて復帰動作させる復帰バネとが組み込まれている。
【００２４】
伝達軸３の上端部と下端部には、伝達軸３の正逆回動に連動して一体に回動する合成樹脂製のラッチ３１，３２が取り付けられている。上下の各ラッチ３１，３２は、図３〜図５に示すように、その先端部に傾斜し彎曲するカム面３６と鈎状部３５とが形成されたものである。鈎状部３５は、右扉２Ａが閉じた状態のとき、ロッカー本体１の上板部１３および底板部１４に形成されたラッチ受け部１１，１２の内面に係合する。カム面３６は、右扉２Ａを開いた状態から閉じるとき、ラッチ受け部１１，１２の外面に突き当たって押圧されるもので、その押圧力を受けてラッチ３１，３２が回動する。
【００２５】
図示例の各ラッチ受け部１１，１２は、上板部１３および底板部１４に各ラッチ３１，３２の挿脱が可能な大きさの矩形状の開口１５，１６をそれぞれ開設することにより形成されており、各開口１５，１６の一側縁がラッチ受け部１１，１２を構成している。
【００２６】
図３は、ラッチ３１，３２の鈎状部３５がラッチ受け部１１，１２の内側に係合した状態、すなわち、右扉２Ａが閉じた状態を示しており、この係合により各ラッチ３１，３２は拘束され、右扉２Ａは閉じた状態に保持される。
図４は、ハンドル２１の押操作によりラッチ３１，３２の鈎状部３５とラッチ受け部１１，１２との係合が外れたときの状態を示しており、各ラッチ３１，３２は拘束が解除され、右扉２Ａを開放することが可能である。
図５は、ハンドル２１を押操作したまま右扉２Ａを開いたときの状態を示しており、ラッチ３１，３２は開口１５，１６を通過して抜け出ている。なお、図５の一点鎖線は、ハンドル２１の押操作を解除して復帰バネによるバネ力でラッチ３１，３２が復帰動作したときの状態を示している。
【００２７】
前記符号錠装置４は、右扉２Ａの内面の伝達軸３が露出している部分の近傍に、複数個のダイヤル４１と回動操作用の摘み４２を扉２Ａの外面に臨ませた状態で組み付けられている。
符号錠装置４は、図６〜図８に示すように、箱状ケース４０の内部に符号錠機構の構成部材が組み込まれたもので、前面板４３の適所に形成された窓孔部分に４個のダイヤル４１と回動操作用の摘み４２とを臨ませている。４個のダイヤル４１は４桁の解錠符号列を揃えたり崩したりして解錠状態および施錠状態を形成するためのものである。摘み４２は所定の角度範囲θで回動するもので、その角度範囲θの一端が施錠位置Ｘ、他端が解錠位置Ｙになっている。
【００２８】
前記符号錠機構は公知であり、ここでは詳細な説明は省略するが、解錠符号列が整列したとき前記の角度範囲θの回動が許容され解錠符号列が整列していないとき前記回動が規制される筒軸部５を有している。筒軸部５は一端が前面板４３より突出し、その突出端部に前記の摘み４２が取り付けられている。筒軸部５の他端は箱状ケース４２の底より突出し、その突出端に駆動板６が取り付けられている。
【００２９】
前記駆動板６は、金属板を屈曲して形成されており、アーム状の本体部６２と矩形状の作動部６３とから成る。本体部６２は基端部が筒軸部５に取り付けられている。本体部６２の先端部分の一側縁には本体部６２と直角をなす作動部６３が一体形成されている。
駆動板６は筒軸部５の正逆回動に伴って往復動して起伏動作する。作動部６３の先端部には、駆動板６が倒れたとき（図６，７において一点鎖線で示す）、伝達軸３と係合して伝達軸３の回動を規制する係合溝６１が形成されている。駆動板６が起立すると、係合溝６１と伝達軸３との係合が外れ、伝達軸３の回動規制が解除される。
【００３０】
係合溝６１は、作動部６３の先端縁を切り欠いて形成されている。係合溝６１の溝底部６１ａは矩形状をなし、図９に示すように、溝底部６１ａの幅ｄは伝達軸３の各面の幅ｔとほぼ一致し、深さｈは伝達軸３の各面の幅ｔより大きな値に設定されている。このように設定することで伝達軸３と係合溝６１とがしっかりと係合する。
係合溝６１の溝開口部６１ｂは外広がりに形成され、溝開口部６の開口幅ｓは伝達軸３の各面の幅ｔより大きな値に設定されている。このように設定することで伝達軸３が係合溝６１に入り易くなる。
【００３１】
上記した構成のロッカーにおいて、左右の扉２Ａ，２Ｂが閉じた状態にあり（図１、３図参照）、加えて、符号錠装置４は解錠符号列が揃った解錠状態にあり、かつ回動操作用の摘み４２が解錠位置にあって駆動板６の係合溝６１と伝達軸３との係合が外れた状態にあるとき（図６〜図８参照）、ハンドル２１に手を当てて押操作すると、伝達軸３は一方向へ回動して上下の各ラッチ３１，３２がそれと一体に回動する（図３，４参照）。これにより各ラッチ３１，３２は、ロッカー本体１の対応するラッチ受け部１１，１２との係合が外れて拘束が解除され、右扉２Ａを開くことができ、続いて、左扉２Ｂを開くことができる（図５参照）。
【００３２】
右扉２Ａを開いた後、ハンドル２１から手を離して押圧を解除すると、伝達軸３が図示しない復帰バネによるバネ力を受けて前記と反対方向へ回動し、各ラッチ３１，３２がそれと一体に回動して元の状態に復帰する（図５において一点鎖線で示す状態）。この状態で右扉２Ａを閉めると、各ラッチ３１，３２のカム面３６がラッチ受け部１１，１２に突き当たって押圧されるので、その押圧力でラッチ３１，３２が回動する。ラッチ３１，３２は、鈎状部３５が開口１５，１６を通過したとき、復帰バネによるバネ力を受けて復帰動作し、これにより、ラッチ受け部１１，１２と係合して拘束され、右扉２Ａおよび左扉２Ｂが閉じた状態に保持される。
【００３３】
右左の扉２Ａ，２Ｂが閉じた状態において、符号錠装置４の解錠符号列が揃った状態にあるときは、回動操作用の摘み４２は施錠位置Ｘと解錠位置Ｙとの間を正逆いずれの方向にも回すことが可能である。摘み４２を回して施錠位置Ｘにセットすると、駆動板６が倒れて作動部６３の係合溝６１と伝達軸３とが係合した状態となり（図６，７において一点鎖線で示す状態および図９に示す状態）、伝達軸３の回動が規制される。この状態でハンドル２１を操作しても、伝達軸３の回動が規制されているので、各ラッチ３１，３２は回動せず、ロッカー本体１のラッチ受け部１１，１２と係合して拘束されたままであり、扉２Ａ，２Ｂが閉じた状態に保持される。次に、４個のダイヤル４１を操作して解錠符号列を崩すと、符号錠装置４は施錠状態となり、摘み４２を施錠位置Ｘから解錠位置Ｙに回すことができない。
【００３４】
扉２Ａ，２Ｂを開く場合は、４個のダイヤル４１を操作して解錠符号列を揃えることで符号錠装置４は解錠状態となり、摘み４２を施錠位置Ｘから解錠位置Ｙまで回して解錠位置Ｙにセットすることができる。摘み４２を解錠位置Ｙにセットすると、駆動板６の作動部６３の係合溝６１と伝達軸３との係合が外れた状態となり、伝達軸３の回動規制が解除される。この状態でハンドル２１を操作すると、伝達軸３が回動して各ラッチ３１，３２がそれと一体に回動し、これにより各ラッチ３１，３２とロッカー本体１の対応するラッチ受け部１１，１２との係合が外れるので、右扉２Ａを開くことができる。
【００３５】
なお、上記の実施例は、鍵を必要とする錠装置に代えて符号錠装置４を組み込んだものであるが、鍵を必要とする錠装置に加えて符号錠装置４を組み込むこともできる。そのような実施態様によれば、錠装置と符号錠装置４とのいずれかを選択的に用いることもでき、また、二重ロックとして両方を用いることもできる。
【符号の説明】
【００３６】
１    ロッカー本体
２Ａ，２Ｂ  扉
３    伝達軸
４    符号錠装置
５    筒軸部
６    駆動板
１１，１２  ラッチ受け部
２０  機械ボックス
２１  ハンドル
３１，３２  ラッチ
４１  ダイヤル
４２  摘み
６１  係合溝
【図１】
2011074679.tif 000003
【図２】
2011074679.tif 000004
【図３】
2011074679.tif 000005
【図４】
2011074679.tif 000006
【図５】
2011074679.tif 000007
【図６】
2011074679.tif 000008
【図７】
2011074679.tif 000009
【図８】
2011074679.tif 000010
【図９】
2011074679.tif 000011
【図１０】
2011074679.tif 000012
【図１１】
2011074679.tif 000013